(57)【要約】【課題】  従来のように、レーザー光の出力が一定であると、低出力で歯肉をタンパク凝固させ痛みを麻痺させた後に、出力設定を変更することなく、連続的に高出力で患部を蒸散させるといった治療が行えないといった問題があった。【解決手段】  足操作によって出力が変化するフットコントローラ１と、該フットコントローラよりの出力によって直線的に出力を変化させる出力調整手段２３を含む制御回路２と、前記出力調整手段よりの出力に応じてレーザー光が変化して放射されるレーザー光照射手段４とから構成した歯科用レーザー治療装置である。【選択図】        図２
2006015040.tif 000002
【特許請求の範囲】
【請求項１】
足操作によって出力が変化するフットコントローラと、該フットコントローラよりの出力によって直線的に出力を変化させる出力調整手段を含む制御回路と、前記出力調整手段よりの出力に応じてレーザー光が変化して放射されるレーザー光照射手段とから構成したことを特徴とする歯科用レーザー治療装置。
【請求項２】
足操作によって出力が変化するフットコントローラと、該フットコントローラよりの出力によって指数関数的に出力を変化させる出力調整手段を含む制御回路と、前記出力調整手段よりの出力に応じてレーザー光が変化して放射されるレーザー光照射手段とから構成したことを特徴とする歯科用レーザー治療装置。
【請求項３】
足操作によって出力が変化するフットコントローラと、該フットコントローラよりの出力によって対数関数的に出力を変化させる出力調整手段を含む制御回路と、前記出力調整手段よりの出力に応じてレーザー光が変化して放射されるレーザー光照射手段とから構成したことを特徴とする歯科用レーザー治療装置。
【請求項４】
足操作によって出力が変化するフットコントローラと、該フットコントローラよりの出力によって直線的、指数関数的あるいは対数関数的に出力を変化させる出力調整手段を含む制御回路と、前記出力調整手段よりの出力を切り換えるための切換手段と、該切換手段によって選択された前記出力調整手段よりの出力に応じてレーザー光が変化して放射されるレーザー光照射手段とから構成したことを特徴とする歯科用レーザー治療装置。
【発明の詳細な説明】
【技術分野】
【０００１】
本発明は、炭酸ガスレーザー光を患部に照射して、該患部を切開、蒸散等することにより治療を行うための歯科用レーザー治療装置に関する。
【背景技術】
【０００２】
従来の患部の切開、蒸散等することにより治療を行うための歯科用レーザー治療装置としては、例えば、特開平９−１０２２９号公報に開示されている発明がある。この発明は、フットコントローラの踏み込み量を変えることで、レーザー光の照射、エア、水あるいはスプレー等の噴射を制御するものである。そして、この発明におけるレーザー光の制御は、予め設定された照射条件に基づいた出力によって連続照射するか、断続照射するかの制御しか行われていなかった。
【特許文献１】特開平９−１０２２９号公報
【発明の開示】
【発明が解決しようとする課題】
【０００３】
ところで、前記従来例のように、レーザー光の出力が一定であると、低出力で歯肉をタンパク凝固させ痛みを麻痺させた後に、高出力で患部を蒸散させるといった治療が行うためには、一度出力を停止した後に出力設定を変更し、再度照射する必要があった。また、レーザー光の照射中に患者が痛みを訴えた際には照射部位から距離を離してビーム径を広げて単位面積当たりのエネルギー密度を下げて対応している場合があったが、口腔内では可動範囲に制限があるために距離調整が容易ではなく、ビーム径を広げると患部以外の正常な歯肉にもレーザー光が照射されるといった問題もあった。さらに、治療開始時にレーザー光を患部に対して正確に照射することは熟練を要し、最初から高出力のレーザー光を照射した場合において治療個所から外れると正常な歯肉が蒸散されてしまうといった問題があった。
【０００４】
本発明は前記した問題点を解決せんとするもので、その目的とするところは、フットコントローラの踏み込み量によってレーザー光の出力強度を変化させることが可能であることから、前記した問題を解決することが可能であり、また、レーザー光の出力を直線的、指数関数的あるいは対数関数的に変化可能となし、施術者が操作し易いものを選択することで治療の効率化と正確性を図ることができる歯科用レーザー治療装置を提供せんとするにある。
【課題を解決するための手段】
【０００５】
本発明の歯科用レーザー治療装置は前記した目的を達成せんとするもので、請求項１の手段は、足操作によって出力が変化するフットコントローラと、該フットコントローラよりの出力によって直線的に出力を変化させる出力調整手段を含む制御回路と、前記出力調整手段よりの出力に応じてレーザー光が変化して放射されるレーザー光照射手段とから構成したものである。
【０００６】
請求項２の手段は、足操作によって出力が変化するフットコントローラと、該フットコントローラよりの出力によって指数関数的に出力を変化させる出力調整手段を含む制御回路と、前記出力調整手段よりの出力に応じてレーザー光が変化して放射されるレーザー光照射手段とから構成したものである。
【０００７】
請求項３の手段は、足操作によって出力が変化するフットコントローラと、該フットコントローラよりの出力によって対数関数的に出力を変化させる出力調整手段を含む制御回路と、前記出力調整手段よりの出力に応じてレーザー光が変化して放射されるレーザー光照射手段とから構成したものである。
【０００８】
請求項４の手段は、足操作によって出力が変化するフットコントローラと、該フットコントローラよりの出力によって直線的、指数関数的あるいは対数関数的に出力を変化させる出力調整手段を含む制御回路と、前記出力調整手段よりの出力を切り換えるための切換手段と、該切換手段によって選択された前記出力調整手段よりの出力に応じてレーザー光が変化して放射されるレーザー光照射手段とから構成したものである。
【発明の効果】
【０００９】
本発明は前記したように請求項１にあっては、フットコントローラの踏み込み量に応じてレーザー光照射手段よりのレーザー光の出力が比例的に上昇するので、低出力で歯肉をタンパク凝固させ痛みを麻痺させた後に、高出力で患部を蒸散させるといった治療がフットコントローラの踏み加減に対してダイレクトな出力応答で行えるという効果が得られるものである。
【００１０】
また、請求項２にあっては、フットコントローラの踏み込み量に応じてレーザー光照射手段よりのレーザー光の出力が低出力領域でレーザー光出力が緩やかに上昇し、高出力領域では急激に上昇するので、低出力で歯肉をタンパク凝固させ痛みを麻痺させる治療を微調整領域で行えるという効果が得られるものである。
【００１１】
さらに、請求項３にあっては、フットコントローラの踏み込み量に応じてレーザー光照射手段よりのレーザー光の出力が低出力領域でレーザー光出力が急激に上昇し、高出力領域で緩やかに上昇するので、高出力で患部を蒸散させるといった治療を微調整領域で行えるという効果が得られるものである。
【００１２】
また、請求項４にあっては、フットコントローラの踏み込み量に応じてレーザー光照射手段よりのレーザー光の出力を、直線的、指数関数的あるいは対数関数的に変化させるものの何れかを選択することが可能であることから、施術者の好みに合わせて選択することで、治療の効率化と正確性を図ることができるという効果が得られるものである。
【発明を実施するための最良の形態】
【００１３】
本発明は、足操作によってフットコントローラからの出力を変化させ、該フットコントローラよりの出力に応じてレーザー光照射手段からの出力を連続的に変化させることである。
【実施例１】
【００１４】
以下、本発明に係る歯科用レーザー治療装置の実施例を図面と共に説明する。  図１は全体の構成を示す概略図にして、１はペダル１ａの踏み込み量によって出力が変化する図示しないポテンショメータ、歪みゲージ、圧力センサ、静電容量センサ等のアナログセンサが組み込まれたフットコントローラである。なお、ペダル１ａを踏み込むことで出力が変化する構造のもの以外に、ペダル１ａを回転させることで出力が変化する構造のものであってもよい。
【００１５】
２は図２に示した制御回路にして、前記アナログセンサよりのアナログ信号をデジタル信号に変換するＡＤ変換回路２１と、図３（ａ）に示すフットコントローラ１の踏みしろに対するレーザー出力を直線的に変化させるデータや、図３（ｂ）に示す指数関数的に変化させるデータあるいは図３（ｃ）に示す対数関数的に変化させるデータを記憶したメモリ２２と、該メモリ２２に記憶されている前記データを前記ＡＤ変換回路２１よりの出力に応じて変化させ出力する出力調整手段とより構成されている。
【００１６】
３は前記制御回路２が組み込まれたケース（図示せず）の上面等の施術者が見やすい個所に形成された表示パネルにして、電源のオン・オフスイッチやレーザー光の出力状態を表示するメータ等が取付けられている。４は前記出力調整手段２３からの出力に応じてレーザー光を放射し、歯肉をタンパク凝固させ痛みを麻痺させ、かつ、患部を蒸散させるためのレーザー光照射手段にして、炭酸ガスレーザー等のレーザー発光手段が組み込まれている。
【００１７】
次に、前記した構成に基づいて動作を説明する。
先ず、前記メモリ２２に図３（ａ）に示す直線的に変化するデータが記憶されている場合について説明するに、前記フットコントローラ１のペダル１ａを踏み込むと、該フットコントローラ１より踏みしろに応じたアナログ信号が出力され、該アナログ信号はＡＤ変換回路２１によりデジタル信号に変換される。このデジタル信号に応じて作成される出力信号としては、パルス周波数を変化させ、あるいはパルスデューティーサイクルを変化させた信号である。
【００１８】
そして、ＡＤ変換回路２１よりの前記デジタル信号が出力調整手段２３に入力されると、該出力調整手段２３は前記メモリ２２に記憶されている直線的データに従ってパルス信号を作成し出力する。この出力によってレーザー光照射手段４はレーザー光を放射するので、フットコントローラ１の踏み加減に対してよりダイレクトな出力応答でレーザー光を患部に照射することとなる。
【００１９】
また、メモリ２２に図３（ｂ）に示す指数関数的に変化するデータが記憶されている場合には、フットコントローラ１の踏みしろに対し、レーザー光照射手段４は低出力領域ではレーザー光の出力が緩やかに上昇し、高出力領域では急激に上昇するレーザー光を放射するので、低出力領域で出力を微調整するのに適した治療（例えば、歯肉をタンパク凝固させ痛みを麻痺させる治療）に有効となる。
【００２０】
さらに、メモリ２２に図３（ｃ）に示す対数関数的に変化するデータが記憶されている場合には、フットコントローラ１の踏みしろに対し、レーザー光照射手段４は低出力領域ではレーザー光の出力が急激に上昇し、高出力領域では緩やかに上昇するレーザー光を放射するので、高出力領域で出力を微調整するのに適した治療（例えば、高出力で患部を蒸散させるといった治療）に有効となる。
【００２１】
なお、前記した実施例にあっては、メモリ２２に記憶するデータとしては、直線的、指数関数的あるいは対数関数的に変化するものの１つを記憶させ、該記憶されている１つのデータを利用して治療を行う場合について説明したが、前記３つのデータを記憶させておき、例えば、前記表示パネル３に何れのデータを選択するかの押しボタン等の選択手段を設けて、該選択手段によって選択された１つのデータをメモリ２２から読み出して、フットコントローラ１の踏みしろに応じてレーザー光照射手段４を制御するようにしてもよい。
【図面の簡単な説明】
【００２２】
【図１】本発明に係る歯科用レーザー治療装置の一実施例を示す全体の概略を示す説明図である。
【図２】制御回路を示すブロック図である。
【図３】踏みしろに対するレーザー出力の特性図にして、（ａ）は直線的な特性図、（ｂ）は指数関数的な特性図、（ｃ）は対数関数的な特性図である。
【符号の説明】
【００２３】
１          フットコントローラ
２          制御回路
２１        ＡＤ変換回路
２２        メモリ
２３        出力調整手段
３          表示パネル
４          レーザー光照射手段
【図１】
2006015040.tif 000003
【図２】
2006015040.tif 000004
【図３】
2006015040.tif 000005